(57)【要約】      （修正有）【課題】棺内の収容した遺体を、火葬するまでの期間、腐敗を抑制し、死臭を消滅する。【解決手段】遺体を収納する棺本体２や棺蓋体３等の内壁面に、光触媒物質粉末を溶着や塗布により付着させた布、紙材で成るシート状の光触媒体１を張着し、又、棺蓋体の内側に照明具５を着脱できるように装着した棺であり、棺内の遺体の火葬までの短期間、腐敗を抑制し、かつ、腐敗臭を消臭する。【選択図】図１
0003112286.tif 000002
【実用新案登録請求の範囲】
【請求項１】
遺体を収納する棺本体２や棺蓋体３等の内壁面に、光触媒物質粉末を溶着や塗布により付着させた布７紙材で成るシート状の光触媒体１を張着した棺。
【請求項２】
内壁面にシート状の光触媒体を張着した棺の棺蓋体３の内側に照明具５を着脱できるように装着した請求項１に記載の光触媒体を帳着した棺。
【考案の詳細な説明】
【技術分野】
【０００１】  本考案は、死亡から火葬（茶毘）を行うまでの期間、ドライアイスを使用せずに、シート状の光触媒体により、棺内に収納した遺体の腐敗を抑制し、無臭保存する為に使用するものである。
［背景技術］【０００２】  従来、死亡時より火葬時までの期間、遺体を保存する場合は、棺内にドライアイスを知れて遺体を冷却する事により腐敗を防止していた。一方、酸化チタンを主材とする光触媒の殺菌、除菌、消臭作用を利用したものは多いが、死亡時から火葬時までの期間、遺体を保存する事は行っていなかった。
［考案の開示］
［考案が解決しようとする課題］【０００３】  現状においては、仏式、神式、キリスト教式など、宗教により葬儀の形式は異なっていても、人が死亡した後、火葬（茶毘）までの期間は、遺体を収納した棺内にドライアイスをいれて遺体を冷却する事により、腐敗を防止して保存している。この為ドライアイスは必要不可欠のものであり、特に夏期には大量のドライアイスを必要とした。しかし、火葬の再には、ドライアイスは炉温上昇を妨げとなり、又、大気汚染上からも悪影響があるなどの理由により、多くの斎場の火葬炉で使用がせ禁止され、火葬の際には、金属物と同様に、棺内からドライアイスは除去させる傾向にある。【０００４】  本考案は、光触媒物質粉末を溶着又は塗布したシート状の光触媒体を、棺の内壁面に張着する事により、ドライアイスを使用しなくても、遺体の腐敗を抑制して死臭を消臭して保存できるので、前述の火葬の再の弊害を解決する事ができるものである。
［課題を解決するための手段］【０００５】  本考案は、この課題を解決する為、光触媒物質粉末を溶着や塗布により付着したシート状の光触媒体を使用し、遺体を収納する棺本体や棺蓋体に張着する事により、遺体の腐敗を抑制し死臭を消臭するものである。又、棺蓋体の内側に照明具を着脱できるように装着する事により、強制的に光触媒体への光線の照射に強化して、周囲の光線状況に関係なく光触媒物質の作用を促進する。
［考案の効果］【０００６】  上述のように、本考案に係る光触媒物質粉末を熔着又は塗布したシート状の光触媒体は、遺体を収納してある棺本体や棺蓋体の内壁面に張り着けてあるので、光触媒物質粉末の作用により遺体の腐敗を抑制し、腐敗に伴う死臭を消臭する事により、死亡時から火葬時までの短期間における遺体の保存に役立つ効果を有する。【０００７】  棺本体の窓部の部分は、棺本体内の遺体の顔を見て惜別する為のものであるが、本考案においては、棺本体の内壁面に張り着けたシート状の光触媒体に光線を与える事になるので、光触媒物質の作用を促進する。【０００８】  本考案は、棺蓋体の内側面に照明具を着脱できるように装着する。従って、照明具を点灯する事により、棺の内壁面に張着してある光触媒体に光線を照射して、光触媒の作用を強制的に促進して、その効果を強化する事ができるので、暗い室内や日射の少ない曇り日降雨日、冬期などには照明具を使用する事が可能になる。又、照明具は着脱できるので、不必要時、移動時、火葬時などには、支障の無いように適宜取り外す事ができる。【０００９】  又、使用するシート状の光触媒体は、布体や紙材で構成されるので、火葬時には無害償却され、溶着や塗布により付着させてある光触媒物質粉末は、焼却時において、燃焼の阻害、有害カスの発生などの悪現象は発生しない。
［考案の実施するための最良の形態］【００１０】  本考案は、酸化チタンを主材とする光触媒物質粉末の殺菌、除菌、除臭等の作用を効果的に利用するものであり、この光触媒物質粉末を溶着や塗布により付着させたシート状のり光触媒体を使用するものであり、又、照明具により強制的に光触媒体に光線を照射して、光触媒物質の作用を活発化するものであり、その効果を高めるものである。従って、シート状の布や紙材に付着させる光触媒物質粉末は、微小粉に製粉した粉末を緻密に付着させる程、光触媒物質の表面積が拡大して光触媒作用が増大し、所期の防腐、消臭効果を向上する。【００１１】  光触媒物質粉末をシート状の布地や紙材に付着する手段は多種あるが、吹き付け法による塗布は簡単であり、布地や紙材を損傷せずに均一的に強固に固着する事ができる低温熱溶着手段が適していると言える。
［実施例］【００１２】  以下、添付図面の図１と図２によりね実施例を説明する。１は、光触媒物質粉末を溶着又は塗布したシート状の光触媒体であり、棺の内壁面への張り着けが容易に布地や紙材で構成する。２は、棺本体、３は棺蓋体であり、４は、棺蓋体３に設けてある窓部、５は、棺蓋体３の内側に着脱できるように装着した照明具である。【００１３】  図１は、シート状の光触媒体１を、棺本体２の対向する両内壁面に張着し、窓部４を設けた棺蓋体３には照明具５を装着した実施例の斜視図である。照明具５は、螢光灯てもよく、紫外線が特に有効である。棺本体２内の遺体は、光触媒物質粉末の作用により、腐敗が抑制され死臭が消失させる事ができる。又、棺蓋体３の窓部４から入射する光線は光触媒体１の作用を促進し、更に、棺蓋体３の内側に照明具５を設ける事により、棺内に強い光線を投射する事となるので、光触媒物質の作用は強力となり、遺体の腐敗の抑制、死臭の消去効果はより増大する。
【図面の簡単な説明】
【００１４】  ［図１］
本考案の実施例において、棺本体の内壁面に、シート状の光触媒体を張り着け、棺蓋体の内側に、着脱できるように照明具を装着した場合の一部切除斜面図である。
［図２］
本考案の実施例において、棺蓋体の内側面に、シート状の光触媒体を張り着け、照明具を着脱できるように装着した場合の一部切除斜視図である。
【符号の説明】
【００１５】１．  光触媒体
２．  棺本体
３．  棺蓋体
４．  窓部
５．  照明具
【図１】
0003112286.tif 000003
【図２】
0003112286.tif 000004
【手続補正書】
【提出日】平成17年3月18日(2005.3.18)
【手続補正１】
【補正対象書類名】実用新案登録請求の範囲
【補正対象項目名】全文
【補正方法】変更
【補正の内容】
【実用新案登録請求の範囲】
【請求項１】
遺体を収納する棺本体２や棺蓋体３等の内壁面に、光触媒物質粉末を溶着や塗布により付着させた布や紙材で成るシート状の光触媒体１を張着した棺。
【請求項２】
内壁面にシート状の光触媒体を張着した棺の棺蓋体３の内側に照明具５を着脱できるように装着した請求項１に記載の光触媒体を張着した棺。
【手続補正２】
【補正対象書類名】明細書
【補正対象項目名】０００２
【補正方法】変更
【補正の内容】
【０００２】  従来、死亡時より火葬時までの期間、遺体を保存する場合は、棺内にドライアイスを入れで遺体を冷却する事により腐敗を防止していた。一方、酸化チタンを主材とする光触媒の殺菌、除菌、消臭作用を利用したものは多いが、死亡時から火葬時までの期間、遺体を保存する事は行っていなかった。
【手続補正３】
【補正対象書類名】明細書
【補正対象項目名】０００３
【補正方法】変更
【補正の内容】
【０００３】  現状においては、仏式、神式、キリスト教式など、宗教により葬儀の形式は異なっていても、人が死亡した後、火葬（茶毘）までの期間は、遺体を収納した棺内にドライアイスをいれて遺体を冷却する事により、腐敗を防止して保存している。この為ドライアイスは必要不可欠のものであり、特に夏期には大量のドライアイスを必要とした。しかし、火葬の再には、ドライアイスは炉温上昇の妨げとなり、又、大気汚染上からも悪影響があるなどの理由により、多くの斎場の火葬炉で使用が禁止され、火葬の際には、金属物と同様に、棺内からドライアイスは除去させる傾向にある。
【手続補正４】
【補正対象書類名】明細書
【補正対象項目名】０００９
【補正方法】変更
【補正の内容】
【０００９】
又、使用するシート状の光触媒体は、布体や紙材で構成されるので、火葬時には無害償却され、溶着や塗布により付着させてある光触媒物質粉末は、焼却時において、燃焼の阻害、有害ガスの発生などの悪現象は発生しない。
【考案の実施するための最良の形態】
【手続補正５】
【補正対象書類名】明細書
【補正対象項目名】００１０
【補正方法】変更
【補正の内容】
【００１０】  本考案は、酸化チタンを主材とする光触媒物質粉末の殺菌、除菌、除臭等の作用を効果的に利用するものであり、この光触媒物質粉末を溶着や塗布により付着させたシート状の光触媒体を使用するものであり、又、照明具により強制的に光触媒体に光線を照射して、光触媒物質の作用を活発化するものであり、その効果を高めるものである。従って、シ
【手続補正６】
【補正対象書類名】明細書
【補正対象項目名】００１３
【補正方法】変更
【補正の内容】
【００１３】  図１は、シート状の光触媒体１を、棺本体２の対向する両内壁面に張着し、窓部４を設けた棺蓋体３には照明具５を装着した実施例の斜視図である。照明具５は、螢光灯でもよく、紫外線が特に有効である。棺本体２内の遺体は、光触媒物質粉末の作用により、腐敗が抑制され死臭が消失させる事ができる。又、棺蓋体３の窓部４から入射する光線は光触媒体１の作用を促進し、更に、棺蓋体３の内側に照明具５を設ける事により、棺内に強い光線を投射する事となるので、光触媒物質の作用は強力となり、遺体の腐敗の抑制、死臭の消去効果はより増大する。